(57)【要約】      （修正有）【課題】薄型・低背でありながら、十分なアイレリーフを確保し、良好に補正された像を観測することが出来るファインダー用接眼光学系を提供する。【解決手段】物体側から射出側へ順に、射出側に凸面の正屈折力を有する第１レンズと、物体側に凹面の負屈折力を有する第２レンズと、正屈折力を有する第３レンズと、カバーガラスより構成され、第１、第２、第３レンズにおいて両面が非球面であり、視度調整のために、第１、第２、第３レンズが光軸に沿って移動し、接眼光学系全系の焦点距離をｆ、接眼光学系が被写体とする映像表示面の対角長をＨ、前記第１レンズの焦点距離をｆ１、第２レンズの焦点距離をｆ２、第３レンズの焦点距離をｆ３とするとき、下記の条件式を満足する。０．４０＜Ｈ／ｆ＜０．６１・・・（１）０．８０＜ｆ１／ｆ＜１．３０・・・（２）−０．８０＜ｆ２／ｆ＜−０．５０・・（３）０．５０＜ｆ３／ｆ＜０．９０・・・（４）【選択図】図１
2014215471.tif 000002
【特許請求の範囲】
【請求項１】
物体側から射出側へ順に、射出側に凸面を向けた形状の正の屈折力を有する第１レンズと、物体側に凹面を向けた形状の負の屈折力を有する第２レンズと、正の屈折力を有する第３レンズと、カバーガラスより構成され、前記第１、第２、第３レンズはいずれも両面が非球面である接眼光学系であって、
視度調整のために、前記第１、第２、第３レンズが光軸に沿って移動し、
前記接眼光学系全系の焦点距離をｆ、前記接眼光学系が被写体とする映像表示面の対角長をＨ、前記第１レンズの焦点距離をｆ１、第２レンズの焦点距離をｆ２、第３レンズの焦点距離をｆ３とするとき、下記の条件式（１）乃至（４）を満足することを特徴とする接眼光学系。
【数１】
2014215471.tif 000045
【請求項２】
前記映像表示面から前記カバーガラス射出側の面までの距離をＬとするとき、下記の条件式（５）を満足することを特徴とする請求項１に記載の前記接眼光学系。
【数２】
2014215471.tif 000046
【請求項３】
前記映像表示面から前記第１レンズ物体側頂点までの光学的距離で、視度調整時にもっとも短くなるときの光学的距離をｂｆ（ｍｉｎ）とするとき、下記の条件式（６）を満足することを特徴とする請求項１又は請求項２のいずれかに記載の前記接眼光学系。
【数３】
2014215471.tif 000047
【請求項４】
前記第１から第３請求項のいずれかに記載のファインダー用接眼光学系と、映像を表示する表示面を持つ映像表示素子を有し、前記ファインダー用接眼光学系は、前記映像表示素子の表示面に表示された映像を拡大して視認可能とするファインダー装置。
【請求項５】
前記第４請求項に記載のファインダー装置と、撮像光学系と、当該撮像光学系により形成される光学像を電気信号に変換する撮像素子とを備え、当該撮像素子で撮像した映像を前記映像表示素子に出力して、前記ファインダー用接眼光学系にて視認可能とする撮像装置。
【発明の詳細な説明】
【技術分野】
【０００１】
本発明は、小型表示パネルなどの物体を拡大して肉眼で観察する接眼光学系、ファインダー装置及びそれを用いた撮像装置に関する。例えばデジタルカメラやビデオカメラ等に用いられるファインダー装置としての電子ビューファインダーに用いられる接眼光学系およびそれを用いた撮像装置に関する。
【背景技術】
【０００２】
近年、カメラ等の撮像装置には、液晶や有機ＥＬといった小型表示パネルを使用した電子ビューファインダーが本体に組み込まれて使用され、また外付けのファインダー装置として取り付けられ使用されている。
【０００３】
こうしたカメラ等の撮像装置に用いるファインダー装置に使用される接眼光学系として、装置自体の小型・薄型化に伴って薄型・低背であることが求められている。更に、ファインダーを介した被写体の観測がし易いように、十分なアイレリーフを確保し、且つ良好な像性能を有することが必要となる。
【０００４】
そこで、従来は特許文献１に開示されるような、物体側（表示面側）から射出側（射出瞳側）に向かって順に、正レンズ、負レンズ、正レンズの３枚のレンズで構成したタイプの接眼光学系が提案されている。このような正負正の屈折力配置としたトリプレットタイプの接眼光学系は、少ないレンズ枚数でありながら球面収差などの収差補正が行ないやすく、高性能化に有利となる。
【先行技術文献】
【特許文献】
【０００５】
【特許文献１】特開２００２−０８２２９０号公報
【発明の概要】
【発明が解決しようとする課題】
【０００６】
しかしながら、特許文献１に開示された接眼光学系は、全系の焦点距離が長く、表示面を含めた光学系全体の小型化や視野角の確保において不利となる。
【０００７】
また、製造コストを抑制する観点から、光学系に使用するレンズ素材としてプラスチック（樹脂）を使用する場合には、光学ガラスを使用する場合に比べ高い屈折率の選択が難しく結果として大きな厚みとなってしまい、小型化が難しくなる。更にはプラスチックを使用したレンズはガラス製レンズに比べ擦り傷が入り易くカバーガラスが必用となる。そのため長いアイレリーフを確保することが難しくなる。
【０００８】
本発明は、上述の課題に鑑み、薄型・低背でありながら、十分なアイレリーフを確保し、良好に補正された像を観測することが出来るファインダー用接眼光学系及びそれを用いた撮像装置の提供を目的とするものである。
【課題を解決するための手段】
【０００９】
上記課題を解決するために、本発明の接眼光学系は、物体側から射出側へ順に、射出側に凸面を向けた形状の正の屈折力を有する第１レンズと、物体側に凹面を向けた形状の負の屈折力を有する第２レンズと、正の屈折力を有する第３レンズと、カバーガラスより構成され、第１、第２、第３レンズはいずれも両面が非球面であって、視度調整のために、第１、第２、第３レンズが光軸に沿って移動し、接眼光学系全系の焦点距離をｆ、接眼光学系が被写体とする映像表示面の対角長をＨ、前記第１レンズの焦点距離をｆ１、第２レンズの焦点距離をｆ２、第３レンズの焦点距離をｆ３とするとき、以下の条件式を満足することを特徴とする。
【００１０】
【数１】
2014215471.tif 000003
【００１１】
好適には、映像表示面からカバーガラス射出側の面までの距離をＬとするとき、以下の条件式を満足することを特徴とする。
【００１２】
【数２】
2014215471.tif 000004
【００１３】
更に好適には、映像表示面から第１レンズ物体側頂点までの光学的距離で、視度調整時に最も短くなるときの光学的距離をｂｆ（ｍｉｎ）とするとき、以下の条件式を満足することを特徴とする。
【００１４】
【数３】
2014215471.tif 000005
【００１５】
また、上記課題を解決するために、本発明のファインダー装置は、上述のファインダー用接眼光学系と、映像を表示する表示面を持つ映像表示素子を有し、ファインダー用接眼光学系は、映像表示素子の表示面に表示された映像を拡大して視認可能とすることを特徴とする。
【００１６】
また、上記課題を解決するために、本発明の撮像装置は、上述のファインダー装置と、撮像光学系と、撮像光学系により形成される光学像を電気信号に変換する撮像素子とを備え、撮像素子で撮像した映像を映像表示素子に出力して、ファインダー用接眼光学系にて視認可能とすることを特徴とする。
【発明の効果】
【００１７】
本発明によれば、薄型・低背でありながら、十分なアイレリーフを確保し、良好に補正された像を観測することが出来るファインダー用接眼光学系及びそれを用いた撮像装置を提供することができる。
【図面の簡単な説明】
【００１８】
【図１】本実施形態のファインダー用接眼光学系の基本構成、およびその各要素に対して付与した面番号を示す図である。
【図２】実施例１において採用したファインダー用接眼光学系の構成を示す図である。
【図３】実施例１において、球面収差、非点収差、および歪曲収差を示す収差図である。
【図４】実施例２において採用したファインダー用接眼光学系の構成を示す図である。
【図５】実施例２において、球面収差、非点収差、および歪曲収差を示す収差図である。
【図６】実施例３において採用したファインダー用接眼光学系の構成を示す図である。
【図７】実施例３において、球面収差、非点収差、および歪曲収差を示す収差図である。
【図８】実施例４において採用したファインダー用接眼光学系の構成を示す図である。
【図９】実施例４において、球面収差、非点収差、および歪曲収差を示す収差図である。
【図１０】実施例５において採用したファインダー用接眼光学系の構成を示す図である。
【図１１】実施例５において、球面収差、非点収差、および歪曲収差を示す収差図である。
【図１２】実施例６において採用したファインダー用接眼光学系の構成を示す図である。
【図１３】実施例６において、球面収差、非点収差、および歪曲収差を示す収差図である。
【図１４】実施例７において採用したファインダー用接眼光学系の構成を示す図である。
【図１５】実施例７において、球面収差、非点収差、および歪曲収差を示す収差図である。
【図１６】実施例８において採用したファインダー用接眼光学系の構成を示す図である。
【図１７】実施例８において、球面収差、非点収差、および歪曲収差を示す収差図である。
【図１８】実施例９において採用したファインダー用接眼光学系の構成を示す図である。
【図１９】実施例９において、球面収差、非点収差、および歪曲収差を示す収差図である。
【図２０】実施例１０において採用したファインダー用接眼光学系の構成を示す図である。
【図２１】実施例１０において、球面収差、非点収差、および歪曲収差を示す収差図である。
【図２２】実施例１１において採用したファインダー用接眼光学系の構成を示す図である。
【図２３】実施例１１において、球面収差、非点収差、および歪曲収差を示す収差図である。
【図２４】本発明の実施形態のファインダーシステムの基本構成を示す図である。
【図２５】本発明の実施形態の撮像装置の基本構成を示す図である。
【発明を実施するための形態】
【００１９】
以下、図面を参照しながら、本発明の実施形態を詳細に説明する。図１に実施の形態のファインダー用接眼光学系の構成を光学断面で示す。これらの実施形態は物体側から順に、映像表示素子の表示面１１０、パネルカバーガラス１２０、防塵カバーガラス１３０、第１レンズ１４０、第２レンズ１５０、第３レンズ１６０、ファインダーカバーガラス１７０が配置される３枚レンズ構成のファインダー用接眼光学系１００である。
【００２０】
パネルカバーガラス１２０からアイポイント１８０まで順に各要素の面に対して記されている数字は面番号を示している。
映像表示素子は、撮像装置が撮像した画像を表示するための素子で、例えば液晶やＥＬ（Electroluminescence）といったようなデバイスが用いられる。
【００２１】
ファインダー用接眼光学系は、画像を表示した映像表示素子１１０を拡大して観察するための光学系であるため、例えば表示素子１１０にゴミなどが付着（正確にはパネルカバーガラス１２０の面２に付着）している場合には、このゴミをも拡大して観察することとなるため、本実施形態では、パネルカバーガラス１２０の２面と第１レンズ１３０の５面とのディスタンスを充分確保した上で、防塵用カバーガラス１３０が設けられている。
【００２２】
本発明を実施したファインダー用接眼光学系のレンズ系は、物体側から射出側へ順に、射出側に凸面を向けた形状の正の屈折力を有する第１レンズと、物体側に凹面を向けた形状の負の屈折力を有する第２レンズと、正の屈折力を有する第３レンズの３枚の単レンズより構成されており、全てプラスチック素材を使用している。
【００２３】
第１レンズは射出側に凸面を向ける形状とし、かつ、両面を非球面で構成することにより、コマ収差および歪曲収差の補正に有利となる。
【００２４】
第２レンズは物体側に凹面を向ける形状とし、かつ、両面を非球面で構成することにより、十分な視野角の確保や、射出瞳サイズの確保に有利となる。そして、コマ収差、像面湾曲、非点収差等の諸収差を良好に補正することが可能となる。
【００２５】
第３レンズは正の屈折力とし、かつ、両面を非球面とすることにより、球面収差の補正に有利となる。
【００２６】
このように、第１、第２、第３は、レンズ素材としてプラスチック（樹脂）を使用しているために、何も非球面で構成することができる。
【００２７】
また、視度調整は第１、第２、第３レンズを一体として光軸方向に移動させて行ない、観察者の視度に拘わらず、何れの視度においても良好に諸収差を補正している。
【００２８】
さらに、接眼光学系全系の焦点距離をｆ、映像表示面の対角長をＨ、前記第１レンズの焦点距離をｆ１、第２レンズの焦点距離をｆ２、第３レンズの焦点距離をｆ３とするとき、下記の条件式（１）および（２）を満足するように構成される。
【００２９】
【数４】
2014215471.tif 000006
【００３０】
条件式（１）は接眼光学系の全系の焦点距離と映像表示面の対角長の比を規定した式である。条件式（１）の上限値を超えた場合、コマ収差の補正が困難となる。逆に下限値を超えた場合、表示映像の観測される大きさが小さくなり好ましくない。
【００３１】
また、第１レンズの焦点距離をｆ１、第２レンズの焦点距離をｆ２、第３レンズの焦点距離をｆ３とするとき、下記の条件式を満足するように構成される。
【００３２】
条件式（２）は接眼光学系の全系の焦点距離に対する第１レンズの焦点距離の比を規定した式である。条件式（２）の上限値を超えた場合、第１レンズと第２レンズとの間隔が大きくなりコンパクト化に不利となる。逆に下限値を超えた場合、第１レンズの屈折力が大きくなり歪曲収差の補正に不利となる。
【００３３】
条件式（３）は接眼光学系の全系の焦点距離に対する第２レンズの焦点距離の比を規定した式である。条件式（３）の上限値を超えて第２レンズの屈折力が大きくなりすぎても、逆に下限値を超えて第２レンズの屈折力が小さくなりすぎても、コマ収差、非点収差、像面湾曲の補正が困難となる。
【００３４】
条件式（４）は接眼光学系の全系の焦点距離に対する第３レンズの焦点距離の比を規定した式である。条件式（４）の上限値を超えた場合、第３レンズの屈折力が小さくなるためコンパクト化に不利となる。逆に下限値を超えた場合、第３レンズの屈折力が大きくなるため球面収差、コマ収差、非点収差、像面湾曲の補正が困難となる。
【００３５】
そしてこれら（１）乃至（４）式を満たすことで、充分なアイレリーフを確保することができ、視度補正による第１、第２、第３レンズを一体で光軸方向への移動を許容するカバーガラスを設けた場合においても、カバーガラス射出面から目までの距離を後述する数値実施例からも明らかなように１５．０００ｍｍ以上確保することができる。
【００３６】
また、映像表示面からカバーガラス射出側の面までの距離をＬとするとき、下記の条件式（５）を満足するように構成される。
【００３７】
【数５】
2014215471.tif 000007
【００３８】
条件式（５）は接眼光学系の全系の焦点距離に対する接眼光学系の全長（映像表示面から第３レンズ射出側の面頂点までの距離）の比を規定した式である。条件式（５）の上限値を超えた場合、接眼光学系が大きくなり好ましくない。逆に下限値を超えた場合、アイレリ−フを確保することが困難となる。
【００３９】
また、映像表示面から第1レンズ物体側頂点までの光学的距離で、視度調整時にもっとも短くなるときの光学的距離をｂｆ（ｍｉｎ）とするとき、下記の条件式（６）を満足するように構成される。
【００４０】
【数６】
2014215471.tif 000008
【００４１】
条件式（６）は接眼光学系のバックフォーカス（映像表示面から第１レンズ物体側頂点までの光学的距離）を規定した式である。条件式（６）の上限値を超えた場合、接眼光学系が大きくなり好ましくない。逆に下限値を超えた場合、ゴミの付着を防ぐ防塵カバーガラスを入れるスペースを確保することが困難となる。
【００４２】
以下に、本発明の好ましい実施の形態を、実施例１から５の数値実施例及び図面によって具体的に示す。
【００４３】
１から１１の数値実施例において、接眼光学系全系の焦点距離、映像表示面の対角長、各レンズ単体の焦点距離、接眼光学系の全長は次の表１に記載の通りである。また、同じく１から１１の数値実施例において、条件式（１）乃至（６）の数値データならびにアイレリーフｔｈｉ１２（カバーガラス射出側の面よりアイポイントまでの距離）は、次の表２に記載の値になる。
【００４４】
【表１】
2014215471.tif 000009
【００４５】
【表２】
2014215471.tif 000010
【００４６】
各数値実施例において、物体側より順に第ｉ番目の面の曲率半径、第ｉ番目の面と第ｉ＋１番目の面の間隔（レンズ厚あるいは空気間隔）、第ｉ番目のレンズの材質の屈折率とアッベ数を記載する。また、各数値実施例において瞳径はφ４ｍｍで設定する。
【００４７】
非球面形状は、光軸方向にＹ軸、光軸と垂直方向にｈ軸、光の進行方向を正とし、Ｒを近軸曲率半径、各非球面係数をＫ、Ａ、Ｂ、Ｃ、Ｄとしたとき
【００４８】
【数９】
2014215471.tif 000011
【００４９】
なる式で表している。
【００５０】
面データ中、面番号の右側に付されたアスタリスク“*”は、そのレンズ面が非球面形状であることを示している。
【００５１】
また、収差図において（ａ）は−１ディオプターの視度調整時、（ｂ）は−３ディオプターの視度調整時、（ｃ）は＋１ディオプターの視度調整時の球面収差（LONGITUDINAL SPHERICAL ABER.）、非点収差（ASTIGMATIC FIELD CURVES）、歪曲収差（DISTORTION）をそれぞれ示す。
【００５２】
各実施例によれば、十分なアイレリーフを確保しつつ、カメラを薄型化することを可能とし、画像を大きく、かつ、良好に補正された像で観測することが出来るファインダー用接眼光学系を実現することができる。
【実施例１】
【００５３】
実施の形態１におけるレンズ系の基本構成は図２に示され、各数値データ（設定値）は表３、表４、表５に、球面収差、非点収差、および歪曲収差を示す収差図は図３にそれぞれ示される。
【００５４】
図２に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【００５５】
表３は、ファインダー用接眼光学系の各面番号に対応した各カバーガラス、各レンズの曲率半径、面間隔、屈折率、およびアッべ数を示している。表中の記号*は非球面の面を表している（以下の実施例においても同様）。表４は所定面の非球面係数を示している。表５は視度調整によって可変する各面間隔の値を示している。
＜数値実施例１＞
【００５６】
【表３】
2014215471.tif 000012
【００５７】
【表４】
2014215471.tif 000013
【００５８】
【表５】
2014215471.tif 000014
【００５９】
図３は球面収差、非点収差、歪曲収差を、それぞれ（ａ）は−１ディオプター時、（ｂ）は−３ディオプター時、（ｃ）は＋１ディオプター時について示している。
【００６０】
図３の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００６１】
実施例１によれば、第１レンズの焦点距離が長いにも関わらず、条件式（２）の上限値を超えないようにすることにより、第１レンズと第２レンズの間隔が大きくなりすぎず、コンパクト化を図りつつ、諸収差が良好に補正され、結像性能に優れた撮像光学系が得られる。また、第３レンズの焦点距離が短いにも関わらず、条件式（４）の下限値を超えないようにすることにより、第３レンズの屈折力が大きくなりすぎず、特に球面収差、コマ収差、非点収差、像面湾曲等の諸収差が良好に補正され、結像性能に優れた撮像光学系が得られた。またアイレリーフｔｈｉ１２は１５．０００ｍｍ確保することができた。
【実施例２】
【００６２】
実施の形態２におけるレンズ系の基本構成は図４に示され、各数値データ（設定値）は表６、表７、表８に、球面収差、非点収差、および歪曲収差を示す収差図は図５にそれぞれ示される。
【００６３】
図２に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【００６４】
表６は、ファインダー用接眼光学系の各面番号に対応した各カバーガラス、各レンズの曲率半径、面間隔、屈折率、およびアッべ数を示している。表中の記号*は非球面の面を表している。表７は所定面の非球面係数を示している。表８は視度調整によって可変する各面間隔の値を示している。
＜数値実施例２＞
【００６５】
【表６】
2014215471.tif 000015
【００６６】
【表７】
2014215471.tif 000016
【００６７】
【表８】
2014215471.tif 000017
【００６８】
図５は球面収差、非点収差、歪曲収差を、それぞれ（ａ）は−１ディオプター時、（ｂ）は−３ディオプター時、（ｃ）は＋１ディオプター時について示している。
【００６９】
図５の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００７０】
実施例２によれば、条件式（１）から（４）の上限値および下限値を超えないようにすることにより諸収差が良好に補正され、さらにアイレリーフｔｈｉ１２を１５．０００ｍｍという長いディスタンスを確保できた撮像光学系が得られる。
【実施例３】
【００７１】
実施の形態３におけるレンズ系の基本構成は図６に示され、各数値データ（設定値）は表９、表１０、表１１に、球面収差、非点収差、および歪曲収差を示す収差図は図７にそれぞれ示される。
【００７２】
図６に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【００７３】
表９は、ファインダー用接眼光学系の各面番号に対応した各カバーガラス、各レンズの曲率半径、面間隔、屈折率、およびアッべ数を示している。表中の記号*は非球面の面を表している。表１０は所定面の非球面係数を示している。表１１は視度調整によって可変する各面間隔の値を示している。
＜数値実施例３＞
【００７４】
【表９】
2014215471.tif 000018
【００７５】
【表１０】
2014215471.tif 000019
【００７６】
【表１１】
2014215471.tif 000020
【００７７】
図７は球面収差、非点収差、歪曲収差を、それぞれ（ａ）は−１ディオプター時、（ｂ）は−３ディオプター時、（ｃ）は＋１ディオプター時について示している。
【００７８】
図７の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００７９】
実施例３によれば、第３レンズの焦点距離が短いにも関わらず、条件式（４）の下限値を超えないことにより、第３レンズの屈折力が大きくなりすぎず、コンパクト化を図りつつ、結像性能に優れた撮像光学系が得られる。またアイレリーフｔｈｉ１２も１５．０００ｍｍ確保することができた。
【実施例４】
【００８０】
実施の形態４におけるレンズ系の基本構成は図８に示され、各数値データ（設定値）は表１２、表１３、表１４に、球面収差、非点収差、および歪曲収差を示す収差図は図９にそれぞれ示される。
【００８１】
図８に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【００８２】
表１２は、ファインダー用接眼光学系の各面番号に対応した各カバーガラス、各レンズの曲率半径、面間隔、屈折率、およびアッべ数を示している。表中の記号*は非球面の面を表している。表１３は所定面の非球面係数を示している。表１４は視度調整によって可変する各面間隔の値を示している。
＜数値実施例４＞
【００８３】
【表１２】
2014215471.tif 000021
【００８４】
【表１３】
2014215471.tif 000022
【００８５】
【表１４】
2014215471.tif 000023
【００８６】
図９は球面収差、非点収差、歪曲収差を、それぞれ（ａ）は−１ディオプター時、（ｂ）は−３ディオプター時、（ｃ）は＋１ディオプター時について示している。
【００８７】
図９の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００８８】
実施例４によれば、第２レンズの焦点距離が短いにも関わらず、条件式（３）の上限値を超えないようにすることにより、第２レンズの屈折力が大きくなりすぎず、コマ収差、非点収差、像面湾曲が良好に補正され、結像性能に優れた撮像光学系が得られた。またアイレリーフｔｈｉ１２も１５．０００ｍｍ確保することができた。
【実施例５】
【００８９】
実施の形態５におけるレンズ系の基本構成は図１０に示され、各数値データ（設定値）は表１５、表１６、表１７に、球面収差、非点収差、および歪曲収差を示す収差図は図１１にそれぞれ示される。
【００９０】
図１０に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【００９１】
表１５は、ファインダー用接眼光学系の各面番号に対応した各カバーガラス、各レンズの曲率半径、面間隔、屈折率、およびアッべ数を示している。表中の記号*は非球面の面を表している。表１６は所定面の非球面係数を示している。表１７は視度調整によって可変する各面間隔の値を示している。
＜数値実施例５＞
【００９２】
【表１５】
2014215471.tif 000024
【００９３】
【表１６】
2014215471.tif 000025
【００９４】
【表１７】
2014215471.tif 000026
【００９５】
図１１は球面収差、非点収差、歪曲収差を、それぞれ（ａ）は−１ディオプター時、（ｂ）は−３ディオプター時、（ｃ）は＋１ディオプター時について示している。
【００９６】
図１１の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００９７】
実施例５によれば、第１レンズの焦点距離が短く、第２レンズの焦点距離が長く、第３レンズの焦点距離が長いにも関わらず、条件式（２）の下限値および条件式（３）の下限値および条件式（４）の上限値を超えないようにすることにより、第１レンズの屈折力が大きくなりすぎず歪曲収差が良好に補正され、また、第２レンズの屈折力が小さくなりすぎず、かつ、第３レンズの屈折力が小さくなりすぎないことにより、コンパクト化を図りつつ、結像性能に優れた撮像光学系が得られる。またアイレリーフｔｈｉ１２も１５．０００ｍｍ確保することができた。
【実施例６】
【００９８】
実施の形態６におけるレンズ系の基本構成は図１２に示され、各数値データ（設定値）は表１８、表１９、表２０に、球面収差、非点収差、および歪曲収差を示す収差図は図１３にそれぞれ示される。
【００９９】
図１２に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１００】
表１８は、ファインダー用接眼光学系の各面番号に対応した各カバーガラス、各レンズの曲率半径、面間隔、屈折率、およびアッべ数を示している。表中の記号*は非球面の面を表している。表１９は所定面の非球面係数を示している。表２０は視度調整によって可変する各面間隔の値を示している。
＜数値実施例６＞
【０１０１】
【表１８】
2014215471.tif 000027
【０１０２】
【表１９】
2014215471.tif 000028
【０１０３】
【表２０】
2014215471.tif 000029
【０１０４】
図１３は球面収差、非点収差、歪曲収差を、それぞれ（ａ）は−１ディオプター時、（ｂ）は−３ディオプター時、（ｃ）は＋１ディオプター時について示している。
【０１０５】
図１３の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１０６】
実施例６によれば、第１レンズの焦点距離が長いにも関わらず、条件式（２）の上限値を超えないようにすることにより、第１レンズと第２レンズの間隔が大きくなりすぎず、コンパクト化を図りつつ、諸収差が良好に補正され、結像性能に優れた撮像光学系が得られる。
【０１０７】
また、第３レンズの焦点距離が短いにも関わらず、条件式（４）の下限値を超えないようにすることにより、第３レンズの屈折力が大きくなりすぎず、特に球面収差、コマ収差、非点収差、像面湾曲等の諸収差が良好に補正され、結像性能に優れた撮像光学系が得られる。またアイレリーフｔｈｉ１２も１６．２００ｍｍ確保することができた。
【実施例７】
【０１０８】
実施の形態７におけるレンズ系の基本構成は図１４に示され、各数値データ（設定値）は表２１、表２２、表２３に、球面収差、非点収差、および歪曲収差を示す収差図は図１５にそれぞれ示される。
【０１０９】
図１４に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１１０】
表２１は、ファインダー用接眼光学系の各面番号に対応した各カバーガラス、各レンズの曲率半径、面間隔、屈折率、およびアッべ数を示している。表中の記号*は非球面の面を表している。表２２は所定面の非球面係数を示している。表２３は視度調整によって可変する各面間隔の値を示している。
＜数値実施例７＞
【０１１１】
【表２１】
2014215471.tif 000030
【０１１２】
【表２２】
2014215471.tif 000031
【０１１３】
【表２３】
2014215471.tif 000032
【０１１４】
図１５は球面収差、非点収差、歪曲収差を、それぞれ（ａ）は−１ディオプター時、（ｂ）は−３ディオプター時、（ｃ）は＋１ディオプター時について示している。
【０１１５】
図１５の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１１６】
実施例７によれば、第２レンズの焦点距離が短く、第３レンズの焦点距離が短いにも関わらず、条件式（３）の上限値および条件式（４）の下限値を超えないようにすることにより、第２レンズの屈折力が大きくなりすぎず、第３レンズの屈折力が大きくなりすぎないことによりコマ収差、非点収差、像面湾曲が良好に補正され、結像性能に優れた撮像光学系が得られる。またアイレリーフｔｈｉ１２も１５．０００ｍｍ確保することができた。
【実施例８】
【０１１７】
実施の形態８におけるレンズ系の基本構成は図１６に示され、各数値データ（設定値）は表２４、表２５、表２６に、球面収差、非点収差、および歪曲収差を示す収差図は図１７にそれぞれ示される。
【０１１８】
図１６に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１１９】
表２４は、ファインダー用接眼光学系の各面番号に対応した各カバーガラス、各レンズの曲率半径、面間隔、屈折率、およびアッべ数を示している。表中の記号*は非球面の面を表している。表２５は所定面の非球面係数を示している。表２６は視度調整によって可変する各面間隔の値を示している。
＜数値実施例８＞
【０１２０】
【表２４】
2014215471.tif 000033
【０１２１】
【表２５】
2014215471.tif 000034
【０１２２】
【表２６】
2014215471.tif 000035
【０１２３】
図１７は球面収差、非点収差、歪曲収差を、それぞれ（ａ）は−１ディオプター時、（ｂ）は−３ディオプター時、（ｃ）は＋１ディオプター時について示している。
【０１２４】
図１７の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１２５】
実施例８によれば、条件式（１）から（５）の上限値および下限値を超えないようにすることにより諸収差が良好に補正され、さらにアイレリーフｔｈｉ１２が１６．２００と長い撮像光学系が得られる。
【実施例９】
【０１２６】
実施の形態９におけるレンズ系の基本構成は図１８に示され、各数値データ（設定値）は表２７、表２８、表２９に、球面収差、非点収差、および歪曲収差を示す収差図は図１９にそれぞれ示される。
【０１２７】
図１８に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１２８】
表２７は、ファインダー用接眼光学系の各面番号に対応した各カバーガラス、各レンズの曲率半径、面間隔、屈折率、およびアッべ数を示している。表中の記号*は非球面の面を表している。表２８は所定面の非球面係数を示している。表２９は視度調整によって可変する各面間隔の値を示している。
＜数値実施例９＞
【０１２９】
【表２７】
2014215471.tif 000036
【０１３０】
【表２８】
2014215471.tif 000037
【０１３１】
【表２９】
2014215471.tif 000038
【０１３２】
図１９は球面収差、非点収差、歪曲収差を、それぞれ（ａ）は−１ディオプター時、（ｂ）は−３ディオプター時、（ｃ）は＋１ディオプター時について示している。
【０１３３】
図１９の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１３４】
実施例９によれば、条件式（１）から（４）の上限値および下限値を超えないようにすることにより諸収差が良好に補正された撮像光学系が得られる。またアイレリーフｔｈｉ１２も１５．０００ｍｍ確保することができた。
【実施例１０】
【０１３５】
実施の形態１０におけるレンズ系の基本構成は図２０に示され、各数値データ（設定値）は表３０、表３１、表３２に、球面収差、非点収差、および歪曲収差を示す収差図は図２１にそれぞれ示される。
【０１３６】
図２０に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１３７】
表３０は、ファインダー用接眼光学系の各面番号に対応した各カバーガラス、各レンズの曲率半径、面間隔、屈折率、およびアッべ数を示している。表中の記号*は非球面の面を表している。表３１は所定面の非球面係数を示している。表３２は視度調整によって可変する各面間隔の値を示している。
＜数値実施例１０＞
【０１３８】
【表３０】
2014215471.tif 000039
【０１３９】
【表３１】
2014215471.tif 000040
【０１４０】
【表３２】
2014215471.tif 000041
【０１４１】
図２１は球面収差、非点収差、歪曲収差を、それぞれ（ａ）は−１ディオプター時、（ｂ）は−３ディオプター時、（ｃ）は＋１ディオプター時について示している。
【０１４２】
図２１の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１４３】
実施例１０によれば、第２レンズの焦点距離が長いのも関わらず、条件式（４）の下限値を超えないようにすることにより、第２レンズの屈折力が小さくなりすぎず、
コマ収差、非点収差、像面湾曲が良好に補正された撮像光学系が得られた。またアイレリーフｔｈｉ１２も１５．５００ｍｍ確保することができた。
【実施例１１】
【０１４４】
実施の形態１１におけるレンズ系の基本構成は図２２に示され、各数値データ（設定値）は表３３、表３４、表３５に、球面収差、非点収差、および歪曲収差を示す収差図は図２３にそれぞれ示される。
【０１４５】
図２２に示すように、第１レンズは射出側に凸面を向けた形状で正の屈折力を有し、第２レンズは物体側に凹面を向けた形状で負の屈折力を有し、第３レンズは正の屈折力を有して、第１、第２、第３レンズはそれぞれ両面に非球面を形成する。
【０１４６】
表３３は、ファインダー用接眼光学系の各面番号に対応した各カバーガラス、各レンズの曲率半径、面間隔、屈折率、およびアッべ数を示している。表中の記号*は非球面の面を表している。表３４は所定面の非球面係数を示している。表３５は視度調整によって可変する各面間隔の値を示している
＜数値実施例１１＞
【０１４７】
【表３３】
2014215471.tif 000042
【０１４８】
【表３４】
2014215471.tif 000043
【０１４９】
【表３５】
2014215471.tif 000044
【０１５０】
図２３は球面収差、非点収差、歪曲収差を、それぞれ（ａ）は−１ディオプター時、（ｂ）は−３ディオプター時、（ｃ）は＋１ディオプター時について示している。
【０１５１】
図２３の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１５２】
実施例１１によれば、第１レンズの焦点距離が短く、第３レンズの焦点距離が長いにも関わらず、条件式（２）の下限値および条件式（４）の上限値を超えないようにすることにより、第１レンズの屈折力が大きくなりすぎず歪曲収差が良好に補正され、また、第３レンズの屈折力が小さくなりすぎないことにより、コンパクト化を図りつつ、結像性能に優れた撮像光学系が得られた。またアイレリーフｔｈｉ１２も１６．０００ｍｍ確保することができた。
【０１５３】
以上、本実施形態のファインダー用接眼光学系について説明したが、本発明はこれらの実施例に限定されるものではなく、発明の要旨を逸脱しない範囲で種々の変形が可能である。
【０１５４】
本実施形態のファインダー用接眼光学系によれば、映像表示素子を用いたファインダー装置およびそれを搭載するカメラ等に好適であり、小型、薄型で高い光学性能のファインダーを備えた撮像装置が実現できる。
【０１５５】
図２４に本発明によるファインダー用接眼光学系１００を用いたファインダー装置２００の実施形態の断面図を示す。ファインダー用接眼光学系１００および液晶や有機ＥＬ（Electroluminescence）等の映像表示素子２１０は筐体２２０によって位置関係を規定、保持される。
【０１５６】
映像表示素子２１０、パネルカバーガラス１２０、防塵カバーガラス１３０、ファインダーカバーガラス１７０は筐体２２０自体に保持され、第１レンズ１４０、第２レンズ１５０、第３レンズ１６０は鏡枠２３０に保持されて筐体２２０内で光軸に沿って移動することによって視度調整が行なわれる。
【０１５７】
電気信号として映像表示素子２１０に入力される画像信号が映像表示素子２１０によって可視光の映像に変換されて映像表示素子２１０の表示面１１０に表示され、ファインダー用接眼光学系１００を介して十分なアイレリーフを確保し、収差を良好に補正した像を観測することが可能となる。
【０１５８】
また、ファインダー用接眼光学系１００が薄型・低背であることから、コンパクトなファインダー装置２００が実現可能となり、様々な撮像装置への応用が期待できる。
【０１５９】
図２５に本発明によるファインダー用接眼光学系１００によって構成されるファインダー装置２００を用いた撮像装置３００の実施形態の断面図を示す。撮像光学系３１０を介して取り込まれ、ＣＣＤ(Charge Coupled Device)やＣＭＯＳ(Complementary Mental-Oxide Semiconductor device)等の撮像素子３２０の撮像面に結像した被写体像は、撮像素子３２０の光電変換機能によって電気信号に変換される。撮像素子から出力された画像の電気信号は、ＤＳＰ（Digital Signal Processor）等で構成される画像信号処理部３３０によって様々な画像処理が施される。処理が施された画像信号は記録媒体３４０に記録される等の他に、被写体のモニタ用として映像表示素子２１０に出力される。
【０１６０】
映像表示素子２１０に入力された画像信号はファインダー装置２００によって十分なアイレリーフを確保し、収差を良好に補正した可視光像として観測することが可能となる。
【０１６１】
このファインダー装置２００はコンパクトに実現可能であるため、組み込む撮像機器の小型可に貢献する。従って撮像機器自体も小型で十分なアイレリーフが確保されて良好な被写体を観測できることで、快適な撮影環境を提供可能となる。
【０１６２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【０１６３】
１００，１００Ａ〜１００Ｋ・・・ファインダー用接眼光学系
１１０ ・・・映像表示素子の表示面
１２０ ・・・パネルカバーガラス
１３０ ・・・防塵カバーガラス
１４０ ・・・第１レンズ
１５０ ・・・第２レンズ
１６０ ・・・第３レンズ
１７０ ・・・ファインダーカバーガラス
１８０ ・・・アイポイント
２００ ・・・ファインダー装置
２１０ ・・・映像表示素子
２２０ ・・・筐体
２３０ ・・・鏡枠
３００ ・・・撮像装置
３１０ ・・・撮像光学系
３２０ ・・・撮像素子
３３０ ・・・画像信号処理部
３４０ ・・・記録媒体
【図１】
2014215471.tif 000048
【図２】
2014215471.tif 000049
【図３】
2014215471.tif 000050
【図４】
2014215471.tif 000051
【図５】
2014215471.tif 000052
【図６】
2014215471.tif 000053
【図７】
2014215471.tif 000054
【図８】
2014215471.tif 000055
【図９】
2014215471.tif 000056
【図１０】
2014215471.tif 000057
【図１１】
2014215471.tif 000058
【図１２】
2014215471.tif 000059
【図１３】
2014215471.tif 000060
【図１４】
2014215471.tif 000061
【図１５】
2014215471.tif 000062
【図１６】
2014215471.tif 000063
【図１７】
2014215471.tif 000064
【図１８】
2014215471.tif 000065
【図１９】
2014215471.tif 000066
【図２０】
2014215471.tif 000067
【図２１】
2014215471.tif 000068
【図２２】
2014215471.tif 000069
【図２３】
2014215471.tif 000070
【図２４】
2014215471.tif 000071
【図２５】
2014215471.tif 000072